(57)【特許請求の範囲】
【請求項１】
ポンプの吸込口に連結される三方向弁の列と、ポンプの吐出口に連結される三方向弁の列とを同一平面上に平行して配列し、同一ポンプの吸込口側及び吐出口側の三方向弁は同一ハンドルの操作によって同時に弁の切替えを行うように同一軸によって夫々同時に回転可能とし、ポンプ吸込口側三方向弁の列及びポンプ吐出口側三方向弁の列は夫々連通管によって連通させるとともに、吸込口側三方向弁の列の連通管と吐出口側三方向弁の列の連通管との間を、吸込口側から吐出口側のみ流通する逆止弁を設けた架橋管によって連結し、これら連通管、逆止弁付き架橋管等で結ばれた吸込口側三方向弁の列及び吐出口側三方向弁の列を1つの配管ユニットとして、この配管ユニット上に複数のポンプを連結するようにした給水装置において、
各ポンプの吸込口と吐出口とは同一平面上で、夫々の三方向弁配管ユニットの上端部の吸込口側開口と吐出口側開口とに接続されることを特徴とする、給水装置の配管装置
【請求項２】
各ポンプの吸込口と吐出口とは同一平面上で、夫々の面上に設けたＯリング溝及びＯリングを介して夫々の三方向弁配管ユニットの吸込口側開口と吐出口側開口とに接続されるようにした、請求項１に記載の給水装置の配管装置
【請求項３】
各ポンプの吸込口と吐出口とは同一平面上で、夫々の面で挟むガスケットを介して夫々の三方向弁配管ユニットの吸込口側開口と吐出口側開口とに接続されるようにした、請求項１に記載の給水装置の配管装置
【発明の詳細な説明】
【０００１】
【発明の属する技術分野】
この発明は、給水装置の配管装置において、制御弁を含む配管装置とポンプとの接続に関する。
【０００２】
【従来の技術】
従来、商業建造物、集合住宅等上水を大量に消費する需要先において、上水道配水管から直接、または小形ポンプで昇圧して需要先に送る直結給水ブースタポンプ式給水装置が普及している。この場合、供給先の水が配水管に逆流することを確実に防止するために、ポンプの吸込側または吐出側に、第1及び第2逆支弁、逃がし弁の組合せからなる逆流防止器を設けることが義務付けられている。このような給水装置の配管において、ポンプの故障等による給水停止を招かないように、複数のポンプを並列に配置することが普通になっている。このような給水装置は、新鮮な水を需要先に送れると共に、配水管内の圧力を有効に利用できるのでポンプの動力を節約でき、また、夜間使用水量の少ない時には、ポンプを停止させ、配水管の水圧を利用して、配水管の水を直接需要先に送るようにしており、省エネルギーに貢献している。
【０００３】
【発明が解決しようとする課題】
このような給水装置において、各ポンプへの吸込及び吐出のための制御弁、逆流防止器及び圧力タンクを、上水道配水管と需要先への配水管との間でどのように配置するかが、特に狭い屋内叉は地下室でのスペースの節約に影響する。また、必要に応じてポンプを配管装置から、取外し叉は再配置する必要があり、その場合配管とポンプとの接続叉は配管からのポンプの取外しを容易に行なえるかどうかが、給水装置の配管上の課題となっている。
【０００４】
【課題を解決するための手段】
この発明は、ポンプの吸込口に連結される三方向弁の列と、ポンプの吐出口に連結される三方向弁の列とを同一平面上に平行して配列し、同一ポンプの吸込口側及び吐出口側の三方向弁は同一ハンドルの操作によって同時に弁の切替えを行うように同一軸によって夫々同時に回転可能とし、吸込側三方向弁の列及び吐出側三方向弁の列は夫々連通管によって連通させるとともに、吸込側三方向弁の列の連通管と吐出側三方向弁の列の連通管との間を、吸込側から吐出側のみ流通する逆止弁を設けた架橋管によって連結し、これら連通管、逆止弁付き架橋管等で結ばれた吸込側三方向弁の列及び吐出側三方向弁の列を1ユニットとして、このユニット上に複数のポンプを連結するようにした給水装置の配管装置において、各ポンプの吸込口と吐出口とは同一平面上で、夫々の三方向弁配管ユニットの上端部の吸込口側開口と吐出口側開口とに接続されるようにしたことを特徴とする。
【０００５】
各ポンプの吸込口と吐出口とは同一平面上で、夫々の面上に設けたＯリング溝及びＯリングを介して夫々の三方向弁の上端部の吸込口側開口と吐出口側開口とに接続されるようにする。また、前記Ｏリングに代えて、各ポンプの吸込口と吐出口とは同一平面上で、夫々の面で挟むガスケットを介して夫々の三方向弁の上端部の吸込口側開口と吐出口側開口とに接続されるようにすることも出来る。このように構成した直結給水ブースターポンプ装置は、前記逆流防止器を経て前記吸込側三方向弁列の一端に上水道配水管が接続されると共に、吐出側三方向弁列の他端が需要先の配管接続口に連通している。この場合、圧力タンクは吐出側三方向弁列の一端に連通配置される。
【０００６】
このような直結給水ブースターポンプ装置を含む給水装置を設置する場所は、上水道配水管への接続口及び需要先の配管接続口が右叉は左側に来ることがありうる。また、逆流防止器は、上水道配水管の給水圧力が逆流防止器の抵抗に比べて高い場合には、ポンプの吸込口側配管の途中に設けて何ら問題は無いが、給水圧力が低い場合には、逆流防止器以降に水が流れないことも起こり得る。そのため、このような場合には、前記ユニットは吸込側三方向弁列の右端叉は左端を直接上水道配水管に接続し、吐出側三方向弁列の他端と需要先の配管接続口との間に逆流防止器を配置することになる。この場合、圧力タンクは吐出側三方向弁列の一端、或いは吐出側三方向弁列の一端と需要先配管接続口との間に配置される。
【０００７】
以上述べたように、直結給水ブースターポンプにおいて、各ポンプの吸込口と吐出口とは同一平面上で、夫々の三方向弁配管ユニットの上端部の吸込口側開口と吐出口側開口とに接続されるようにしたので、ポンプの故障等不都合が生じた場合に、点検,修理等のためにポンプの配管への取付け及び取り外しを迅速に行うことが出来る。
【０００８】
【発明の実施の態様】
この発明の1実施例として、2個のポンプを並列に配置する場合のユニット配列を図１に示す。ポンプ1及びポンプ２の各吸込口に連結される三方向弁３及び４の列と、ポンプ１及び２の吐出口に連結される三方向弁５及び６の列とを同一平面上に平行して配列し、同一ポンプの吸込口側及び吐出口側の三方向弁３及び５、４及び６は同一ハンドル７，８の操作によって同時に弁の切替えを行うように同一の回転軸９，１０によって夫々同時に回転し、弁の切替えを行うことが出来る。
【０００９】
吸込口側三方向弁３，４の列及び吐出口側三方向弁５，６の列は夫々連通管１１，１２によって連通させるとともに、吸込口側三方向弁の列の連通管１１と吐出口側三方向弁の列の連通管１２との間を、吸込口側から吐出口側のみ流通する逆止弁１３を設けた架橋管１４によって連結する。このようにして形成されたポンプ１及び２の配管ユニット１５の吸込口側三方向弁３の一端が、逆流防止器１６を経て上水道配水管の接続口１７に接続されると共に、吐出口側三方向弁６の他端が需要先の配管接続口１８に連通される。また、吐出口側三方向弁５の一端に圧力タンク１９を連通配置させることが出来る。
【００１０】
図2及び３に示すように、ポンプ２の吸込口２０は配管ユニット１５の吸込口側三方向弁４の上端部の吸込口側開口２１に接続されるとともに、ポンプ２の吐出口２２は配管ユニット１５の吐出側三方向弁６の上端部の吐出口側開口２３に接続され,夫々の接続面は同一平面２４上にある。このためポンプ２を配管ユニット１５に対して取付け,叉は配管ユニット１５から取り外す時には、ポンプ２の吸込口２０と吐出口２１とを同時に配管ユニット１５上に載置し、叉は配管ユニット１５から持上げ,ポンプ２を配管ユニット１５から取り外すことが出来る。この操作は、特に狭い空間内にポンプ装置を配置する場合、叉はキャビネット内にポンプ、配管ユニット、逆流防止器,圧力タンク等をセットにして組み込んだ場合に,狭いキャビネット内からポンプだけを取り外し交換するのに便利である。なお、以上の説明はポンプ１に関しても同様である。
【００１１】
ポンプ２の吸込口２０と、配管ユニット１５の吸込側三方向弁４の上端部の吸込口側開口２１の周りには、図２に示すように、通常型のＯリング溝２５が設けられ、ポンプを配管ユニットに接続する場合、Ｏリング２６を挿入する。このＯリングの代わりに、図３に示すようにポンプ吸込口と配管ユニットの吸込口側開口との間に,通常型のガスケット２７を敷設することも出来る。なお、以上の説明はポンプ２の吐出口、及びポンプ１に関しても同様である。
【００１２】
【発明の効果】
この発明は以上のように構成したので、上水道配水管及び需要先への配管の接続口の位置、配水管の給水圧力、需要先への給水圧力等の諸条件を考慮して、上水道配水管との接続口、需要先への配管の接続口、逆流防止器及び圧力タンクの接続部の位置を容易に変更できるので、最も適当な直結給水ブースタポンプの配管を行うことが出来る配管ユニットとポンプとの組合せを提供する。特に各ポンプの吸込口と吐出口とは同一平面上で、夫々の三方向弁配管ユニットの上端部の吸込口側開口と吐出口側開口とに接続されるので、現場での取付け作業が容易に行えるとともに、運転中はたとえ一個のポンプが故障しても、他のポンプでバックアップ運転を行い、その間、故障したポンプを取り外し修理叉は交換をすることが出来る。
【図面の簡単な説明】
【図１】  この発明の三方向弁配管ユニットとポンプとを組合せた直結給水ブースタポンプの見取り図である。
【図２】ポンプ吸込口と配管ユニットの吸込口側開口との間にＯリング溝及びＯリングを配置した状態を示す部分断面図である。
【図３】ポンプ吸込口と配管ユニットの吸込口側開口との間にガスケットを敷設した状態を示す部分断面図である。
【符号の説明】
１    ポンプ１
２    ポンプ２
３    ポンプ１の吸込口側の三方向弁
４    ポンプ２の吸込口側の三方向弁
５    ポンプ１の吐出口側の三方向弁
６    ポンプ２の吐出口側の三方向弁
７    ハンドル１
８    ハンドル２
９    回転軸１
１０  回転軸２
１１、１２  連結管
１３  逆止弁
１４  架橋管
１５  配管ユニット
１６  逆流防止器
１７  上水道配水管への接続口
１８  需要先への配管接続口
１９  圧力タンク
２０  吸込口
２１  吸込口側開口
２２  吐出口
２３  吐出口側開口
２４  平面
２５  Ｏリング溝
２６  Ｏリング
２７  ガスケット
【図１】
0004308389.tif 000002
【図２】
0004308389.tif 000003
【図３】
0004308389.tif 000004